(57)【特許請求の範囲】
【請求項１】
軒先の幕板に幕板カバーを介して軒樋が支持されてなる軒樋の取付け構造において、幕板カバーを、縦部と縦部の一端から鋭角に折り曲げられた折り曲げ部とを具備せしめて構成し、縦部が幕板の軒樋側を覆いつつ下方に延び、折り曲げ部が幕板の下端より下方部位から建物内側に向けて上方に延びるように配設し、前記折り曲げ部に、折り曲げ部内に進入する雨水を排出する水抜き穴を穿設すると共に、幕板の下端より下方に、幕板カバーの水抜き穴を下方から覆うと共に水抜き穴から排出される雨水を外部に誘導するカバー部材を配設し、該カバー部材を、幕板カバーの折り曲げ部に先端が近接又は接触せしめられて横方向に配設された水平部と、該水平部の先端から幕板カバーの折り曲げ部に沿って傾斜して延びる傾斜部とを具備せしめ、傾斜部の面が前記水抜き穴を塞がないように構成し、幕板カバーの折り曲げ部の下方端を、カバー部材の先端より下方に位置せしめたことを特徴とする軒樋の取付け構造。
【請求項２】
カバー部材の傾斜部の上端を、幕板カバーの折り曲げ部の水抜き穴よりも上方に位置せしめたことを特徴とする請求項１に記載の軒樋の取付構造。
【請求項３】
カバー部材の傾斜部の上部を幕板カバーの折り曲げ部側に折曲したことを特徴とする請求項１又は２に記載の軒樋の取付構造。
【発明の詳細な説明】
【技術分野】
【０００１】
本発明は、軒樋の取り付けられた軒先部分の軒天を支持する部分の構造に関する。
【背景技術】
【０００２】
従来、軒樋の取付構造としては様々なものが知られているが、例えば図９に示すように、軒先の幕板１に幕板カバー２を取付け、該幕板カバー２を介して幕板１に支持ブラケットを取付け、該支持ブラケットによって軒樋３を支持するようにした構造が知られている。この構造では、幕板１の内部に進入した雨水が幕板材を濡らすことを防ぐ目的で幕板カバー２の下部に水抜き穴４を設け、また幕板カバー２の内部に進入した雨水が軒天側に行って軒天材５を濡らすことを防止するために、幕板カバー２の内側に幕板カバー２と一部が重なるようにして軒天支持金物６を設け、幕板カバー２と軒天支持金物６の間に間隙を設けていた。
【０００３】
しかしながら、このような構造では、図１０に示すように、幕板カバー２と軒天支持金物６の間に、下方から見たときにＷ１の幅の一条の溝部ｇが形成されてしまうこと、下方から見たときに水抜き穴４が目立ってしまうこと、Ｗ２の幅を広くとることが必要であること、幕天カバー２と軒天支持金物６の間の色違いが目立つことなどから、意匠上、好ましくないことが指摘されていた。
【０００４】
また、軒樋の取付構造としては、文献１に示されるように、軒樋を建物の中に取り入れて軒樋の存在感を少なくすることにより外観を向上させ、かつ軒天井支持部が外観上目立たないようにして外観を向上させるために、鼻隠し部材（幕板）の下端から軒樋底面の前端側に連出片を連出すると共にこの連出片に軒天井支持部を設け、軒天井板の前端をこれに支持させ、また軒樋の前壁に軒天井支持部を略同じ外観の段部を上下に階段状に連続するように設け、階段状の段部に軒天井支持部を連続させるようにした構造が提案されている。しかしながら、このような構造は、複雑で施工が容易ではない上、段階状の部分が意匠的に複雑になり、かえって配置上の制約を受けてしまう。また軒天井板の防水のための水抜き対策も十分ではなかった。
【特許文献１】特開２０００−１６０７７７号公報
【発明の開示】
【発明が解決しようとする課題】
【０００５】
本発明は、上記事情に鑑みてなされたもので、意匠上の制約が少なく、かつ進入水に対して優れた排水機能を持つ上、取付施工が容易で、しかも比較的薄い材料で製作しても外部からの力に対して丈夫な軒樋の取付構造を提供することを目的とする。
【課題を解決するための手段】
【０００６】
第一の発明によれば、軒先の幕板に幕板カバーを介して軒樋が支持されてなる軒樋の取付け構造において、幕板カバーを、縦部と縦部の一端から鋭角に折り曲げられた折り曲げ部とを具備せしめて構成し、縦部が幕板の軒樋側を覆いつつ下方に延び、折り曲げ部が幕板の下端より下方部位から建物内側に向けて上方に延びるように配設し、前記折り曲げ部に、折り曲げ部内に進入する雨水を排出する水抜き穴を穿設すると共に、幕板の下端より下方に、幕板カバーの水抜き穴を下方から覆うと共に水抜き穴から排出される雨水を外部に誘導するカバー部材を配設し、該カバー部材を、幕板カバーの折り曲げ部に先端が近接又は接触せしめられて横方向に配設された水平部と、該水平部の先端から幕板カバーの折り曲げ部に沿って傾斜して延びる傾斜部とを具備せしめ、傾斜部の面が前記水抜き穴を塞がないように構成し、幕板カバーの折り曲げ部の下方端を、カバー部材の先端より下方に位置せしめたことを特徴とする軒樋の取付け構造が提供される。
第二の発明によれば、第一の発明において、カバー部材の傾斜部の上端を、幕板カバーの折り曲げ部の水抜き穴よりも上方に位置せしめたことを特徴とする軒樋の取付構造が提供される。
第三の発明によれば、第一又は第二の発明において、カバー部材の傾斜部の上部を幕板カバーの折り曲げ部側に折曲したことを特徴とする軒樋の取付構造が提供される。
【発明の効果】
【０００７】
第一の発明によれば、幕板カバーに、幕板の下端より下方部位から建物内側に向けて上方に延びる折り曲げ部を設けてそこに水抜き穴を穿設し、その水抜き穴をカバー部材で下方から覆うようにしたので、幕板内に雨水が進入しても水抜きが確実にでき、雨水が軒天材を濡らすことはなく、また下方から水抜き穴が見えないし、溝が形成されることがないので、意匠性が向上する。更に、幕板カバーやカバー部材を折曲構造としたので、これら部材を比較的薄い材料で製作しても外部からの力に十分に耐えることができる。またカバー部材の傾斜部の面が折り曲げ部の水抜き穴を塞がないようにし、かつ幕板カバーの折り曲げ部の下方端をカバー部材の先端より下方に位置せしめたので、水抜き穴からの雨水の排出がスムーズになされると共に、側方視でカバー部材が隠れ、意匠性が向上する。
第二の発明によれば、カバー部材の傾斜部の上端を、幕板カバーの折り曲げ部の水抜き穴よりも上方に位置せしめたので、雨水が軒天側に進入するのを妨げることができる。
第三の発明によれば、カバー部材の傾斜部の上部を幕板カバーの折り曲げ部側に更に折曲せしめたので、カバー部材の強度を特に高めることができると共に、雨水の軒天側への進入をより確実に阻止できえる。
【発明を実施するための最良の形態】
【０００８】
以下、本発明の好適な実施形態を、図面を参照しながら詳細に説明する。
図１は、本発明の第一の実施形態に係る軒樋の取付構造を示す断面図で、図中１０は屋根面の桁行方向に複数材が離間して配され屋根面の流れ方向に所定の勾配で架設された鉄骨部材からなる垂木、１１は垂木１０の上部に敷設された構造用パネルからなる野地板、１２は野地板１１の上に改質アスファルトルーフィング等からなる防水シート１３を介して敷設された繊維混入セメント瓦等からなる屋根瓦材である。垂木１０の先端端面には、桁行方向に延びる板材からなる幕板（鼻隠し部材）１４が支持部材１５を介して鉛直に取り付けられ、この幕板１４の外面側には、軒樋１６が、幕板１４に離間して配設された複数の支持ブラケット（図示せず）を介して取り付けられると共に、幕板１４の下端には、桁行き方向に離間して配設された断面視Ｌ字状の複数の支持金物１７が取り付けられ、これら支持金物１７に軒天材１９が、ネジ等の締結部材１８によって締結されて、敷設されている。幕板１４は、軒樋１６の上下方向長さよりも長い縦方向長さを有しており、その樋側の外面には、幕板カバー２０が設けられている。
【０００９】
軒樋の上記取付構造は従来周知のものであるが、本実施形態では、幕板カバー２０とその周辺の部材の構造に工夫をし、その機能を維持しつつ意匠性も向上させている。すなわち、幕板カバー２０は、従来と同様に、幕板１４の縦方向長さよりも若干長い上下高さと桁行方向に所定長さを持つ板状体からなり、取付状態で外方（樋側）に略水平に延出して野地板１１の外方端を下方から覆う上縁部２０ａと、該上縁部２０ａから下方に略鉛直に延び、幕板１４を外側から覆って当接される縦部２０ｂとを有するが、本実施形態では、特に図１の要部を拡大した図２から分かるように、縦部２０ｂの下端から内方（建物内側）に鋭角に折り曲げられた折り曲げ部２０ｃと折り曲げ部２０ｃから更に軒天材方向に折り曲げられた下側縁部２０ｄを更に具備しており、該折り曲げ部２０ｃが幕板１４の下端より下方部位から建物内側に向けて上方に延びるように配設され、下側縁部２０ｄが支持金物１７に固定されている。そして、この折り曲げ部２０ｃには、その下端部から若干離間した部位に、折り曲げ部２０ｃ内に進入する雨水を外部に排出する水抜き穴２１が穿設されている。
【００１０】
図３及び図４は、幕板カバー２０の形状と幕板への取付状態を更に詳細に示すもので、所定長さの複数の幕板カバー２０を桁行方向に並べてその隣り合う部材の端部同士を当接させ、その当接部全体に内側からジョイント部材２０ｅを当て、ビス等の締結手段によって双方の幕板カバー２０に締結して、桁行方向に長い幕板カバーパネルを構成したもので、各幕板カバー２０の縦部２０ｂの鉛直部がビス等の締結手段によって幕板１４に締結されて幕板１４に支持されている。また、水抜き穴２１は各幕板カバー２０の折り曲げ部２０ｃに少なくとも一つ形成されている。
【００１１】
更に、幕板１４の下端より下方には、幕板カバー２０の水抜き穴２１を下方から覆うと共に水抜き穴２１から排出される雨水を外部に誘導するカバー部材２２が配設されている。このカバー部材２２は、水平部２２ａと、水平部２２ａの一端から鋭角に折り曲げられた傾斜部２２ｂと、傾斜部２２ｂの先端から逆方向（水平部２２ａから離れる方向）に折り曲げられた折曲部２２ｃとを有し、水平部２２ａを下側にして水平に配し、傾斜部２２ｂを幕板カバー２０の折り曲げ部２０ｃに対向させ、折曲部２２ｃをその先端が幕板カバー２０の折り曲げ部２０ｃの水抜き穴２１の上方側に近接するようにして、幕点カバー２０の折り曲げ部２０ｃの下方位置に配され、その水平部２２ａが幕板１４の下端に取り付けられた支持金物１７に、カバー部材２２の取付下地となるスペーサ２３を介してネジ等の締結部材２４によって締結されている。
【００１２】
ここで、カバー部材２２の傾斜部２２ｂと折曲部２２ｃの各傾斜角度はそれぞれ任意であるが、傾斜部２２ｂの面が幕天カバー２０の折り曲げ部２０ｃに穿設された水抜き穴２１を塞ぐことがなく、また折曲部２２ｃが水抜き穴２１から流れ落ちる雨水を確実に遮って軒天材１９側に行かせることのないように、設計される。
また、カバー部材２２の水平部２２ａの先端（傾斜部２２ｂの下端）は、幕板カバー２０の折り曲げ部２０ｃに近接又は接触せしめられている。この近接又は接触の度合いは、その間隙を雨水が支障なく流れれば、如何なる度合いでも構わないが、折り曲げ部２０ｃに形成された水抜き穴２１がカバー部材２２により覆われ、水抜き穴２１を下方から目視することができない程度の狭い間隙とするのが好ましい。更に、折り曲げ部２０ｃの下端と傾斜部２２ｂの下端（水平部２２ａの先端）の位置関係は、折り曲げ部２０ｃの下端の方が若干下に位置せしめられており、特に建物の正面視（図面においては建物の左側）において、幕板カバー２０のみが視野に入る。尚、カバー部材２２は、幕板カバー２０と同じ材質、配色とするなど、意匠的に目立たず、幕板カバー２０が連続しているかのような外観を呈するものが好ましい。
【００１３】
また、カバー部材２２の水平部２２ａの他端は軒天材１９まで延びており、その延出部分で、軒天材１９を支持金物１７に取り付けるネジ等の締結部材１８を下方から覆っている。
尚、本実施形態に係る軒樋取付構造では、支持金物１７の施工後、幕板カバー２０を敷設し、支持金物１７に軒天材１９を取付けた後、スペーサ２３を介してカバー部材２２を取り付けていく。
【００１４】
上記の実施形態によれば、軒樋１６に入らないで幕板カバー２０に達した雨水は、図５において矢印ａで示すように、その大部分は幕板カバー２０の外面に沿って流れ落ちるが、幕板カバー２０は鉛直に配設され、その下方端が尖っているので、水切りが確実になされる。一方、特に雨が激しいときなど、雨水の一部は幕板カバー２０の接合部等の僅かな隙間から幕板１４の表面まで進入し、落下して、幕板カバー２０の縦部２０ｂの下縁に溜まるが、図５において矢印ｂで示すように、幕板カバー２０には水抜き穴２１が穿設されているので、縦部２０ｂの下縁に溜まった水が増えると、水抜き穴２１から外に流れ出る。ここで、幕板カバー２０の水抜き穴２１が設けられている部分の外部には、カバー部材２２の傾斜部２２ｂと折曲部２０ｃが配設されているので、水抜き穴２１から流れ出た雨水は、カバー部材２２の傾斜部２２ｂと折曲部２０ｃに当たり傾斜部２２ｂをつたって、傾斜部２２ｂの先端と幕天カバー２０の折り曲げ部２０ｃの間の隙間から外部に誘導される。従って、水抜き穴２１から出た雨水によって軒天材１９が濡らされることはない。また、幕板カバー２０の折り曲げ部２０ｃの下方端がカバー部材２２の先端より下方に位置し、かつ折り曲げ部２０ｃが鋭角になっているので、水切れがよく、幕板カバー２０に雨水が伝わりにくく、幕板カバー２０の表面に雨跡が残りにくく、美観上優れる。
【００１５】
このように、本実施形態に係る軒樋の取付構造によれば、軒天材１９を雨水から確実に保護することができるが、従来の構造とは異なり、下方から水抜き穴２１が見えたり、下方から見た場合に溝部が形成されているということがないので、意匠性にも優れる。また、幕板カバー２０内側に進入した雨水は水抜き穴２１からカバー部材２２をつたって誘導されるので、排水がスムーズにかつ確実にできる。更に幕板カバー２０やカバー部材２２は、折曲構造とされているので、これらを比較的薄い材料で製作しても、外部からの力に対して丈夫である。しかも、支持金物１７の設置後に、幕天カバー２０もカバー部材２２も容易に取り付けることができるので、施工性にも優れる。
【００１６】
上記において、幕板カバー２０は、幕板１４をカバーするために設けられることから、幕板１４が傾斜して設けられていれば、幕板カバー２０も傾斜して設けられたり、また幕板１４に金物等が取り付けられているときには、その金物等を含めてカバーするようになされるなど、幕板１４によってその形状、配置等は変わりうるが、幕板１４を外部側から覆う縦部２０ｂと、該縦部２０ｂの一端から鋭角に折り曲げられて、幕板１４の下端より下方部位から建物内側に向けて上方に延びる折り曲げ部２０ｃとは必ず具備するように構成される。縦部２０ｂは平板状でもよいし、装飾性を持たせる等のために段状にしたり、内方又は外方に傾斜した部分を設けたりしてもよいが、変形させられた部位に雨水が溜まったりそこで雨水が撥ねたりすることがない形状とするのが好ましい。
【００１７】
また、幕板カバー２０の折り曲げ部２０ｃの折り曲げ角度は鋭角であれば如何なる角度でも構わないが、幕板１４が内側に傾斜して配設されている場合など、さほど鋭角にしなくとも視野に入らないようにすることが可能な場合はある。折り曲げ部２０ｃにおいて水抜き穴２１を設ける位置は、折り曲げ部２０ｃの角部となる幕板カバーの下端から所定長さ離間した位置でよいが、折り曲げ部２０ｃに溜まる雨水の量が増えないように、あまり上方位置に設けないようにするのが好ましい。
【００１８】
また、上記の実施形態においては、カバー部材２２を、水平部２２ａと傾斜部２２ｂと折曲部２２ｃとによって構成したが、水抜き穴２１と間隔が開けられ、かつ折曲構造で丈夫にできれば、前記の構造に限定されるものではない。図６はその幾つかの変形態様を示したもので、図６（ａ）では、第一の実施形態における傾斜部と折曲部を、水抜き穴２１に向かって凹に折曲させた湾曲部２２ｄとしている。このような構造であっても、カバー部材２２の強度は担保され、かつスムーズな排水が実現できる。
同様に、図６（ｂ）では、第一の実施形態における傾斜部を、水平部２２ａの一端側で水平部２２ａに折曲して重ねられた折り返し部２２ｅと、折り返し部２２ｅから幕天カバー２０の折り曲げ部２０ｃと一定の間隔を保つように延びた傾斜部２２ｆとで構成し、傾斜部２２ｆの先端に折曲部２２ｇを連設したもので、第一の実施形態における場合と同様の作用を奏する。
また、図６（ｃ）は、カバー部材２２の構造を単純化したもので、水平部２２ａの先端を、折り曲げ部２０ｃから水平方向に若干離間させ、折り曲げ部２０ｃと一定の間隔を保つように傾斜させて形成して傾斜部２２ｈとしたものである。この実施形態にあっては、カバー部材２２は、その傾斜部２２ｈの上端を、幕板カバー２０の折り曲げ部２０ｃの水抜き穴２１よりも十分に上方に位置せしめ、これにより、軒天材１９への水の流れを規制する。この構造によっても、カバー部材２２の強度が担保され、スムーズな排水を達成できる。
【００１９】
更に、図示した例では、幕板カバー２０には、折り曲げ部２０ｃの先端に更に折り曲げられた下側縁部２０ｄを設けたが、このような部位を形成しないで、折り曲げ部２０ｃで終端する構造としてもよい。その場合、折り曲げ部２０ｃの先端部は、幕板１４の下端に取り付けられた支持金物１７の裏面に当接するような長さとしてもよいし、支持金物１７とは間隙を開けて終端するようにしてもよい。
【００２０】
上記第一の実施形態では、幕板１４は鉛直に設けられていたが、例えば屋根面の勾配に略直交するように所定の角度をもって内側に傾斜して設けられている建物の場合でも、本願発明に係る軒樋の取付構造を実施することができることは言うまでもない。図７〜８は、この場合の実施形態を示すもので、第一の実施形態と同一の部分には同一の符号を付して説明を省略する。
図中３０は幕板であり、垂木の端面に支持部材を介して下方に向けて建物内側方向に傾斜して取り付けられており、その下方端には支持金物３１を介して軒天材１９が取り付けられている。上記幕板３０の外面には、幕板３０を外側から覆って幕板３０に当接されると共に支持金物３１の立上がり部分と中央部分を外方から覆う縦部３２ａと、縦部３２ａの下端から内方（建物内側）に鋭角に折り曲げられた折り曲げ部３２ｂと、折り曲げ部３２ｂから内方（建物内側）に更に折り曲げられた縁部３２ｃとを具備する幕板カバー３２が、折り曲げ部３２ｂが幕板３０の下端より下方部位から建物内側に向けて上方に延びるように配設され、その縁部３２ｃが支持金物３１の下面に当接されている。そして、折り曲げ部３２ｂには、その下端から若干離間した部位に、折り曲げ部３２ｂ内に進入する雨水を外部に排出する水抜き穴３３が穿設されている。また、幕板３０の下端より下方には、幕板カバー３２の水抜き穴３３を下方から覆うと共に水抜き穴３３から排出される雨水を外部に誘導するカバー部材３４が配設されている。このカバー部材３４は、第一の実施形態の場合（図２）と同様に、水平部３４ａと、水平部３４ａの一端から鋭角に折り曲げられた傾斜部３４ｂと、傾斜部３４ｂの先端から逆方向（水平部３４ａから離れる方向）に折り曲げられた折曲部３４ｃとを有する。
【００２１】
このような実施形態においても、雨水の一部が幕板カバー３２の接合部等の僅かな隙間から幕板３０の表面まで進入し、落下して、幕板カバー３２の下端に溜まるが、幕板カバー３２には水抜き穴３３が穿設されているので、そこから外に流れ出る。また、幕板カバー３２の水抜き穴３３が設けられている部分の外部には、カバー部材３４が配設されているので、水抜き穴３３から流れ出た雨水は、カバー部材３４の傾斜部３４ｂや折曲部３４ｃに当たり傾斜部３４ｂをつたって外部に誘導される。従って、水抜き穴３３から出た雨水によって軒天材１９が濡らされることはない。また、下方から水抜き穴３３が見えたり、下方から見た場合に溝部が形成されているということがないので、意匠性にも優れる。更に、カバー部材３４は折曲構造であるので、丈夫であり、外的な力に十分に耐える。
【００２２】
以上、本発明の好適な実施形態について説明したが、本発明はこれらの実施形態に限定されるものではなく、本明細書における説明から当業者が容易に考え得る様々な変形例もその範囲に含む。例えば、説明した実施形態では、幕板カバーとカバー部材を別体としたが、双方を一体化した部材を製作して用いてもよい。
【図面の簡単な説明】
【００２３】
【図１】本発明の第一の実施形態に係る軒樋の取付構造を示す縦断面図である。
【図２】図１の軒樋の取付構造の要部の拡大図である。
【図３】図１の第一の実施形態に用いられる幕板カバーを示す斜視図である。
【図４】図１の第一の実施形態における幕天カバーの継ぎ合わせ状態を示す正面図である。
【図５】図１の第一の実施形態における雨水の流れを示すための縦断面図である。
【図６】（ａ）から（ｃ）とも、図１の第一の実施形態に用いられるカバー部材の変形態様を示す断面図である。
【図７】本発明の他の実施形態に係る軒樋の取付構造を示す縦断面図である。
【図８】図７の軒樋の取付構造の要部の拡大図である。
【図９】従来の軒樋の取付構造を示す縦断面図である。
【図１０】図９の軒樋の取付構造の一部を下方から見た斜視図である。
【符号の説明】
【００２４】
１、１４、３０          幕板（鼻隠し部材）
２、２０、３３          幕板カバー
３、１６                軒樋
４、２１、３４          水抜き穴
５、１９                軒天材
６                      軒天支持金物
１０                    垂木
１１                    野地板
１２                    屋根瓦材
１３                    防水シート
１５                    支持部材
１７、３２              支持金物（支持部材）
２０ａ                  上縁部
２０ｂ                  縦部
２０ｃ、３３ｃ          折り曲げ部
２０ｄ                  下側縁部
２２、３５              カバー部材
２２ａ                  水平部
２２ｂ、２２ｆ、２２ｈ  傾斜部
２２ｃ、２２ｇ          折曲部
２２ｄ                  湾曲部
２２ｅ                  折り返し部
２３                    スペーサ
２４                    締結部材
ｇ                      溝部
Ｗ１、Ｗ２              溝部等の幅
【図１】
0005019998.tif 000002
【図２】
0005019998.tif 000003
【図３】
0005019998.tif 000004
【図４】
0005019998.tif 000005
【図５】
0005019998.tif 000006
【図６】
0005019998.tif 000007
【図７】
0005019998.tif 000008
【図８】
0005019998.tif 000009
【図９】
0005019998.tif 000010
【図１０】
0005019998.tif 000011